【手続補正書】
【提出日】平成17年2月16日(2005.2.16)
【手続補正１】
【補正対象書類名】明細書
【補正対象項目名】全文
【補正方法】変更
【補正の内容】
【書類名】      明細書
【発明の名称】  破砕装置用の回転刃
【特許請求の範囲】
【請求項１】
回転軸線が水平なロータリー型破砕機における円柱状のロータ周面に刃を複数個配列してなる回転刃において、前記ロータ周面における各刃の取付け箇所には、刃取付座が形成され、前記各刃は正方形で板状のスロアウエーチップとしてあり、前記刃取付座にはこの刃取付座に嵌合する刃ホルダーがこのロータに対して取外し自在に配置され、この刃ホルダーの刃取付面は、前記刃の正方形と同一の形状としてあり、この刃取付面に前記刃の正方形の背面が当接し、この刃の一角部がこのロータ周面から突出した状態では前記刃取付面に着脱固定自在に取付けられていることを特徴とする破砕装置用の回転刃。
【請求項２】
回転軸線が水平なロータリー型破砕機における円柱状のロータ周面に刃を複数個配列してなる回転刃において、前記ロータ周面における各刃の取付け箇所には、断面９０度Ｖ字型にロータの弦方向でこのロータを切除してなる谷形の刃取付座が形成され、前記各刃は正方形で板状のスロアウエーチップとしてあり、前記刃取付座の後端寄りにはこの刃取付座に嵌合する刃ホルダーがこのロータに対して取外し自在に配置され、この刃ホルダーの刃取付面は、前記刃の正方形と同一の形状としてあり、この刃取付面に前記刃の正方形の背面が当接し、この刃の一角部がこのロータ周面から突出し、この刃の底部二辺が前記刃取付座に接した状態で、前記刃は前記刃取付面に着脱固定自在に取付けられ、前記刃の前面側の刃取付座にはこの刃取付座と前記刃の前面に接して、この刃取付座を埋める栓状ブロック体がこのロータに対して着脱自在に配置してあることを特徴とする破砕装置用の回転刃。
【請求項３】
ずれ防止用のストッパーが前記刃ホルダーの後端にその前端が当接した状態で前記円柱状のロータ周面に形成した前記刃取付座に取付けてあることを特徴とする請求項２記載の破砕装置用の回転刃。
【発明の詳細な説明】
【０００１】
【産業上の利用分野】
この発明は、破砕装置、殊に、プラスチック大塊、木材、紙、電線その他の産業廃棄物をリサイクルするために破砕する装置に用いられる回転刃に関する。
【０００２】
【従来の技術】
この種の装置としては、前記産業廃棄物を低騒音で低速回転する単一のロータリー型の破砕機に供給し破砕している。
【０００３】
【発明が解決しようとする課題】
前記の破砕機のロータ周面に刃を複数個配列してなる回転刃における各刃は、摩耗が激しく、各刃の交換を頻繁に行なわなくてはならず、破砕機の稼動効率が低下する傾向にある。この発明は、前記課題を簡易な構成により解決し、各刃の交換を簡易、且つ迅速に行なえると共に、一枚の刃の使用寿命を延ばすようにすることを主目的とする。
【０００４】
【課題を解決するための手段】
前記課題を解決するために、特定発明は、回転軸線が水平なロータリー型破砕機における円柱状のロータ周面に刃を複数個配列してなる回転刃において、前記ロータ周面における各刃の取付け箇所には、刃取付座が形成され、前記各刃は正方形で板状のスロアウエーチップとしてあり、前記刃取付座にはこの刃取付座に嵌合する刃ホルダーがこのロータに対して取外し自在に配置され、この刃ホルダーの刃取付面は、前記刃の正方形と同一の形状としてあり、この刃取付面に前記刃の正方形の背面が当接し、この刃の一角部がこのロータ周面から突出した状態で、前記刃は前記刃取付面に着脱固定自在に取付けられていることを特徴とする破砕装置用の回転刃。
【０００５】
前記課題を解決するために、関連発明は、回転軸線が水平なロータリー型破砕機における円柱状のロータ周面に刃を複数個配列してなる回転刃において、前記ロータ周面における各刃の取付け箇所には、断面９０度Ｖ字型にロータの弦方向でこのロータを切除してなる谷形の刃取付座が形成され、前記各刃は正方形で板状のスロアウエーチップとしてあり、前記刃取付座の後端寄りにはこの刃取付座に嵌合する刃ホルダーがこのロータに対して取外し自在に配置され、この刃ホルダーの刃取付面は、前記刃の正方形と同一の形状としてあり、この刃取付面に前記刃の正方形の背面が当接し、この刃の一角部がこのロータ周面から突出し、この刃の底部二辺が前記刃取付座に接した状態で、前記刃は前記刃取付面に着脱固定自在に取付けられ、前記刃の前面側の刃取付座にはこの刃取付座と前記刃の前面に接して、この刃取付座を埋める栓状ブロック体がこのロータに対して着脱自在に配置してあることを特徴とする破砕装置用の回転刃としてある。
前記課題を解決するために、この回転刃において、ずれ防止用のストッパーが前記刃ホルダーの後端にその前端が当接した状態で前記ロータ周面に形成した前記刃取付座に取付けてあることが剛性上望ましい。
【０００６】
【発明の効果】
請求項１記載の発明において、前記ロータ周面から三角形状に突出している前記刃の一つ角部とこれに連なる稜線の２つの刃先縁により、被破砕物を削り破砕片とし、使用により刃が摩耗した場合には、栓状ブロック体をロータから取外し、更に刃ホルダーから前記刃を外し、刃ホルダーの刃取付面に対して、９０度の整数倍、その中心軸線周りに刃の向きを変えて、新たな一つの頂点とこれに連なる２つの刃先縁を前記ロータ周面から突出し、再び固定すると、前記刃の切れ味が新しくなり、破砕作業を継続して行なうことが出来、前記刃の前面の頂点が全て摩耗した場合には前記刃を刃ホルダーの刃取付面から外し、その表裏を反転して使用できる。
【０００７】
請求項２記載の発明においては、前記ロータ周面から三角形状に突出している前記刃の一つ角部とこれに連なる稜線の２つの刃先縁により、被破砕物を削り破砕片とし、使用により刃が摩耗した場合には、栓状ブロック体をロータから取外し、更に刃ホルダーから前記刃を外し、刃ホルダーの刃取付面に対して、９０度の整数倍、その中心軸線周りに刃の向きを変えて、新たな一つの頂点とこれに連なる２つの刃先縁を前記ロータ周面から突出し、再び前記刃及栓状ブロック体を元の状態に固定すると、前記刃の切れ味が新しくなり、破砕作業を継続して行なうことが出来、前記刃の前面の頂点が全て摩耗した場合には前記刃を刃ホルダーの刃取付面から外し、その表裏を反転して使用でき、前記刃の少なくとも４つの頂点が摩耗したときには、前記栓状ブロック体をロータから取外し、更に刃ホルダーから前記摩耗した刃を外し、新たなものに交換することが出来る。従って、１つの刃を少なくとも４個の角が全て摩耗するまで使用出来、１つの刃の寿命を長くすることができる。
【０００８】
前記のように刃取付座をロータの弦方向に形成することで、各請求項記載の発明においては、刃取付座の両端は開放した形状となり、ロータ周面への刃ホルダーの取付けにより刃のロータ周面に対する位置決めを容易に行なうことができるとともに、この刃取付座のロータへの機械加工も容易となる。
殊に、請求項２記載の発明においては、前記効果に加えて、この刃取付座の前方部分を前記栓状ブロック体で埋めるように覆うことにより、使用時に被破砕物がこの刃取付座中に侵入せず、被破砕物の切削抵抗を確実に軽減できる。
請求項３記載の発明において、前記発明の効果に加えて、前記ずれ防止用のストッパーにより、前記刃ホルダーが使用時に刃取付座上でずれるのを未然に防止するとともに、刃取付座に対して所定の位置に刃ホルダーを位置決めできる。又、被破砕物の種類が異なる場合には、回転刃全体を、すなわち、前記スロアウエーチップ、刃ホルダー、ストッパー及び栓状ブロック体をロータから外して、被破砕物の種類に対応したものと交換することが出来る。
【０００９】
【発明の実施の形態】
請求項２、３記載の発明の代表的な実施の形態を説明する。図５において、Ａは破砕装置であり、回転軸線が水平なロータリー型の破砕機１０を配列し、前記破砕機１０に産業廃棄物Ｂを供給する供給装置１３が配置してある。この供給装置１３は油圧シリンダー１４の作動により産業廃棄物用ホッパー１５内から前記破砕機１０に対して進退可能なプッシャー１６から構成されている。
【００１０】
前記破砕機１０における水平な円柱状のロータ１０ａ周面に刃１０ｂを例えばスパイラルカーブに沿って複数個配列して回転刃とし、回転刃の外周を取り囲む筒状のハウジング１８が配置してあり、この各破砕機１０における前記筒状のハウジング１８の下側半円部１８ａには多数の穴１８ｂが穿設され、スクリーン２０が取付けてある。このスクリーン２０は目の大きさの異なるものと交換可能としてある。前記破砕機１０の回転刃と対面し、産業廃棄物を切断乃至剪断する固定刃２２が配置してある。前記ロータ周面における各刃１０ｂの取付け箇所には、断面９０度Ｖ字型にロータ１０ａの弦方向でこのロータ１０ａを切除してなる各谷形の刃取付座Ｃが形成され、それぞれ平面紡錘形を呈する。
【００１１】
前記各刃１０ｂは正方形で板状のスロアウエーチップとしてあり、前記刃取付座Ｃの後端寄りにはこの刃取付座Ｃに嵌合する刃ホルダー１０ｃがこのロータ１０ａに対してボルトなどの固定具Ｔにより取外し自在に配置され、この刃ホルダー１０ｃの刃取付面１０ｄは、前記刃１０ｂの正方形と同一の形状としてあり、この刃取付面１０ｄに前記刃１０ｂの正方形の背面１０ｅ２が当接し、この刃１０ｂの一角部がこのロータ１０ａ周面から突出し、この刃１０ｂの底部二辺が前記刃取付座Ｃに接した状態で、前記刃１０ｂは前記刃取付面１０ｄにボルトなどの固定具Ｔにより着脱固定自在に取付けられ、前記刃１０ｂの前面１０ｅ１側の刃取付座Ｃにはこの刃取付座Ｃに接して、この刃取付座Ｃを埋める栓状ブロック体１０ｆがその背面１０ｇでこのロータ１０ａから突出する部分を残して前記刃１０ｂの前面部分に当接してカバーする状態でこのロータ１０ａに対してボルトなどの固定具Ｔにより着脱自在に配置してある（図１、図２参照）。
更にずれ防止用のストッパー１０ｈが前記刃ホルダー１０ｃの後端にその前端が当接した状態で前記ロータ１０ａ周面に形成した前記刃取付座Ｃに着脱自在に取付けてある。この実施の形態では、このストッパー１０ｈは六角孔付きのボルトで構成されている。
【００１２】
前記実施の形態の装置の作用を説明する。前記ホッパー１５内に産業廃棄物Ｂ、例えばプラスチック大塊、木材、紙、電線を所定量投入した後、前記供給装置１３の油圧シリンダー１４を作動して、前記プッシャー１６を破砕機１０に向けて前進させ、このプッシャー１６の前進に伴い、前記ホッパー１５内の産業廃棄物Ｂを前記ロータ１０ａの円周面に押し付ける。この破砕機１０において、このプッシャー１６とロータ１０ａ間に位置する産業廃棄物Ｂを前記ロータ１０ａの周面から突出した刃１０ｂの一角部である上部三角形領域Ｄ１を形成する２つの刃先縁と一つの頂点でねずみが喰い切るような状態でチップ状に順次切削していく。この際、この上部三角領域Ｄ以外の刃１０ｂの前面は、前記栓状ブロック体１０ｅで覆われ、また刃１０ｂの背面全体は刃ホルダー１０ｃの刃取付面１０ｄに当接して、切断作用に関与しない。産業廃棄物は前記栓状ブロック体１０ｅの外周面に案内されて固定刃２２側へ落下し、前記刃取付座Ｃの内部には入り込まない。この切断された破片を更に水平な軸線周りで回転している前記回転刃と固定刃２２との共働作用で更に細かく切断乃至破砕する。
【００１３】
前記ロータ１０ａの周面から突出している刃１０ｂの一角部である三角形領域Ｄ１を形成する２つの刃先縁と一つの頂点が使用により（図３参照）、摩耗した場合には、前記栓状ブロック体１０ｅをロータから取外し、この刃１０ｂを刃ホルダー１０ｃから外し、刃ホルダー１０ｃの前面に対して、刃１０ｂの向きを１８０度変えて、新たな三角形領域Ｄ２を形成する一つの頂点と２つの刃先縁を前記ロータ１０ａ周面から突出した状態で刃１０ｂを刃ホルダー１０ｃに取付け、栓状ブロック１０ｅを再びロータに取付ける。この状態で、破砕作業を継続して行なう。またこの刃１０ｂの前面の２つの頂点と４つの刃先縁が摩耗した時は刃１０ｂの表裏を反転し背面１０ｅ２を使用する。この際、この裏面１０ｅ２において使用する２つの三角形領域Ｄ３、Ｄ４は、１８０度位置を異にし、各三角系領域Ｄ３、Ｄ４は、前面１０ｅ１の時と異なる新たな頂点と２つの刃先縁で形成される（図４参照）。この刃１０ｂの全ての刃先縁及び頂点が摩耗したときには、前記チップ止め１０ｈを外し、前記刃ホルダー１０ｃの前面から完全に摩耗した刃１０ｂを取外し、新たなものに交換する。
【００１４】
なお、別の使用法としては、刃１０ｂの前面１０ｅ１における４つの頂点を使用し、全て摩耗した後、刃１０ｂを反転し使用し、８つの頂点全てが摩耗した後に、新たなものに交換する場合もある。前記ずれ防止用ストッパー１０ｈにより、刃ホルダー１０ｃを刃取付座Ｃに対して所定位置に位置決めし、この状態で刃ホルダー１０ｃを取付座Ｃに適切に取付け、破砕時に刃ホルダー１０ｃが刃取付座Ｃ上でずれるのをこのストッパー１０ｈで防止し、前記刃１０ｂのロータ１０ａからの突出位置を常に同じ状態に維持する。又、被破砕物の種類が異なる場合には、回転刃全体を、すなわち、前記刃１０ｂ刃ホルダー１０ｃ、ストッパー１０ｈ及び栓状ブロック体１０ｅをロータ１０ａから外して、被破砕物の種類に対応したものと交換する。このように粉砕されたペレット状の粉砕物は再生材として再使用される。
その他の形態としては、図６、図７のものがある（請求項１項の発明の実施形態）。この形態においては、回転軸線が水平なロータリー型破砕機における円柱状のロータ周面に刃を複数個配列してなる回転刃において、前記ロータ周面における各刃の取付け箇所には、刃取付座が形成され、前記各刃１０ｂは正方形で板状のスロアウエーチップとしてあり、前記刃取付座にはこの刃取付座に嵌合する刃ホルダー１０ｃ′がこのロータに対して取外し自在に配置され、この刃ホルダー１０ｃ′の刃取付面１０ｄは、前記刃１０ｂの正方形と同一の形状としてあり、この刃取付面１０ｄに前記刃１０ｂの正方形の背面が当接し、この刃１０ｃの一角部がこのロータ周面から突出した状態で前記刃取付面１０ｄに着脱固定自在に取付けられている。
この際、ブロック体１０ｆ′が刃１０ｂの前面と刃ホルダー１０ｃ′に接し、刃ホルダー１０ｃとともに前記刃取付座の前端寄りでロータに着脱可能に配置されている。それ以外の構成は前記の実施の形態と同じである。
【図面の簡単な説明】
【図１】  実施の形態におけるロータの一部分の概略斜視図である。
【図２】  図１の分解斜視図である。
【図３】  刃部分の分解斜視図である。
【図４】  刃の背面の利用状態を示す正面図である。
【図５】  破砕装置の概略図である。
【図６】  他の刃部分の縦断面図である。
【図７】  図６の分解図である。
【図面の符号の説明】
１０     破砕機
１０ｂ   刃
１０ｃ   刃ホルダー
１０ｆ   栓状ブロック体
【手続補正２】
【補正対象書類名】図面
【補正対象項目名】図６
【補正方法】追加
【補正の内容】
【図６】
1999226441.tif 000001
【手続補正３】
【補正対象書類名】図面
【補正対象項目名】図７
【補正方法】追加
【補正の内容】
【図７】
1999226441.tif 000002